(57)【要約】【課題】随時、容易に長さの調節ができ、リュックなどの背嚢を背負う、或いは降ろす動作を楽にするバックルとショルダーストラップの構造を提供する。【解決手段】バックル外殻A１に楔形板A２を枢着し、楔形板A２に直接ストラップA１１の一端を固定し、該ストラップＡ１１をプルリングA6の横棒A6-4に巻き掛けした後直接該楔形板に相対する外殻下端の横棒上に巻き掛けして背嚢に連結させることでループ状ショルダーストラップを形成する。　長さを調節するには、プルリングを楔形板よりも高く引き上げることにより、ショルダーストラップを外殻下端に横棒とに間で狭圧している楔形板下端を引き上げてその間隔を広げることにより、その狭圧によるロックを解除し、プルリングと楔形板との間にループ状にストラップを引き出して、背嚢との間のループを縮小する。【選択図】　　　　図４
2004073861.tif 000002
【特許請求の範囲】
【請求項１】
　　バックル，プルリング，ショルダーストラップ，調節ベルトより構成されるバックルとショルダーストラップの構造において、
　上方には補強板、並びに両端に上横棒と下横棒が跨設された外殻を具有し、
　該外殻の両側壁に相対した個所には一対の孔が設けられており、
　該下横棒に対面する個所が円弧面を呈しており、且つピンによって該外殻内側に回動可能に枢着され、バネで該下横棒に向けて押圧される楔形板を具有する該バックルと、
　上方には横棒が設けられており、また下方にはフック部が設けられている該プルリングと、
　一端が背嚢に連結され、もう一端が該バックル上端の横棒に巻き掛けされる該ショルダーストラップと、
　至端が背嚢に連結され、もう一方の至端が該バックルの下横棒に巻き掛けされて更に該プルリングの横棒に巻き掛けされた後に該楔形板にて該下横棒に対して押圧されて固定されている該調節ベルトと、
　を具有し、手で該プルリングを持ち上げて、該調節ストラップを該楔形板底部の円弧面に沿わせて引っ張り出し、手を下降させることで該楔形板底部の円弧面が該下横棒を押圧し、該調節ベルトを押圧し且つその長さを収縮させることを特徴とするバックルとショルダーストラップの構造。
【請求項２】
　バックル，プルリング，ショルダーストラップ，調節ベルト，より構成されるバックルとショルダーストラップの構造において、
　外殻両側壁には相対する一対以上の孔が設けられており、且つピンによって該外殻の内側に楔形板とばねを穿設しており、
　該楔形板に嵌設された操作板がピンによって該外殻内に枢設され、
　該外殻上の最上部に位置する孔にはピンによってロック部が枢設され、
　また該外殻の下部に設けられた孔にはピンによってストッパーが枢設され、
　該楔形板には該ストッパーに面した個所に円弧面が形成されている
　該バックルと、
　上方に横棒が設けられており、下方にはフック部が形成されている該プルリングと、
　一端が背嚢に連結され、もう一端に形成されるループが該上横棒に穿設されている該ショルダーストラップと、
　至端が背嚢と連結され、もう一端の至端が該バックル中の楔形板と該ストッパーとの中間に穿設されてプルリング上の横棒を巻き掛けして該操作板に固定される該調節ベルトと、
　を具有し、手で該プルリングを持ち上げ、該調節ベルトを該楔形板底部の円弧面に沿って引き出し、手を下降させると該楔形板底部の円弧面が該下部のピンを押圧し、該調節ベルトを押圧して長さを収縮させ、該楔形板と調節ベルトが調整できる状態となって、該ロック部と該操作板とが開いた状態になると、該楔形板と該ストッパーが該調節ベルトを挟んだ状態となり、該ロック部が該操作板を押圧してロックされた状態となることを特徴とするバックルとショルダーストラップの構造。
【請求項３】
　該ストッパーの一端は円弧形を呈しており、該楔形板の相対する部分に設けられた円弧面が該円弧形と等しい弧を描いていることでストラップを効果的に押圧することを特徴とする請求項２記載のバックルとショルダーストラップの構造。
【請求項４】
　該調節ベルトは断面が円形を呈したロープ状であり、該ロープ状の調節ベトが挟設されるのに適した形状を提供するべく、該ストッパーと楔形板の接触面はそれぞれ円弧形を呈して陥没した形を呈していることを特徴とする請求項３記載のバックルとショルダーストラップの構造。
【請求項５】
　該楔形板の円弧面には、かみ合わせの効果を上げるべく更にギアが設けられていることを特徴とする請求項１，２，３或いは４記載のバックルとショルダーストラップの構造。
【請求項６】
　該プルリングの本体にはフックを具有し、該フックの開口個所に可動片が設けられており、該可動片と本体間にはばねが設けられており、該可動片が該フックに対して開閉することを特徴とする請求項１或いは２記載のバックルとショルダーストラップの構造。
【請求項７】
　該楔形板と操作板は、ピンによってそれぞれ調節ベルトと結合されていることを特徴とする請求項１或いは２記載のバックルとショルダーストラップの構造。
【請求項８】
　該ストラップとバックルの上横棒は縫合或いは嵌設方式によって結合されていることを特徴とする請求項１或いは２記載のバックルとショルダーストラップの構造。
【発明の詳細な説明】
【技術分野】
【０００１】
　本発明はバックルとショルダーストラップの構造に係り、特にバックルの部分に楔形板や操作板を用い、ストラップの至端にはプルリングを設けることで、ストラップの長さの調節及び背嚢の着脱を容易にしたバックルとショルダーストラップの構造に関わる。
【背景技術】
【０００２】
　現在市場に出回っているリュックやデイパック、バックパックなどを含む背嚢類において、そのバックルとショルダーストラップの連結方式は、多数のピン孔が開設されて漢字の「目」のような形状を呈したリングが用いられている。該リングの一端には肩に背負う側のストラップが連結され、残りの多数のピン孔はストラップの長さの調節用としてストラップが巻き掛けされる個所を提供しており、こうしてストラップと背嚢が連結して一体となっている。
【発明の開示】
【発明が解決しようとする課題】
【０００３】
　上述のような公知における背嚢のショルダーストラップとバックルにおける構造の欠点としては、ストラップの長さを随時調節するには不便であることから、特に登山用リュックや重いものを背負う際、或いは降ろす際、動作が行い難いことが言える。
　そこで上述の欠点に鑑み、随時容易に長さの調節ができ、リュックなどの背嚢を背負う、或いは降ろす動作を楽にする本発明のバックルとショルダーストラップの構造を提供する。
【課題を解決するための手段】
【０００４】
　バックル部を楔形板の構造によって直接ストラップを固定し、また該ストラップの一端をプルリングに巻き掛けした後直接該楔形板上に連結させることで該楔形板に伝動する、或いはプルリングに巻き掛けした後直接操作板上に連結させて該操作板により該楔形板に伝動することで該ストラップの長さの調節機能を提供する。
【発明の効果】
【０００５】
　本発明によると、随時容易に長さの調節ができ、リュックなどの背嚢を背負う、或いは降ろす動作を楽にする目的が達成された。
【発明を実施するための最良の形態】
【０００６】
　本発明ではバックルにおける実施例をA〜Dの５つのタイプに分けて行っているが、まず「線圧式」タイプの代表としてBタイプのバックルを例にとると、図５に示す楔形板B２を図１に示すように、ローラB４に巻回したショルダーストラップB１１に対して傾斜角をつけて設置し、ストッパーの中心に設けたピン孔に更にピンB７−１を穿設した後に外殻上に設置し、該楔形板の一側面に設けたばねB８の押圧により、該楔形板B２が該ストラップB１１に対して押圧され、該ストラップB１１が図１のL方向に移動すると該楔形板B２が該ストラップB１１に伴って移動し、同時に楔形板の円弧面B２−３が入り込んでストラップを押圧して移動できなくする。
　該ストラップB１１を反対方向に移動させるとき、該楔形板B２はストラップと共に移動し、該円弧面B２−３がストラップから徐々に離れるため、ストラップが図１におけるR方向に移動する。「線圧式」という言葉においては、該楔形板の円弧面B２−３が外側に突出した形状を呈しているため、該ストラップB１１は該楔形板の円弧面B２−３とローラB４の円弧面との間に位置するが、該ストラップB１１は上述の二つの円弧面間にて押圧されている面が一本の線のような幅（図１のA参照）で該楔形板の円弧面B２−３と接触していることより「線圧式」と呼ぶことにより、これよりも接触面積が広く面で接触する「面圧式」と区別する。
【０００７】
　上述の「面圧式」タイプにおいてはC形のバックルとストラップの構造からなり、これは上述の線圧式タイプにおいて一本の線状で円弧面に押圧されていた個所が、楔形板円弧面全体にまで及んでいるものであり、該ストラップC１１が楔形板から受ける単位面積圧力は、上述のBタイプのストラップB１１が受けるそれよりも数倍小さいものとなっている、つまり数倍の負荷に耐えられるのである。
　図２に示すように「面圧式」タイプでは、外殻上に固定されたストッパーC４の押圧区C４−２上にストラップC１１が一本配置されると、該押圧区C４−２上の円弧面R２とストラップC１１上方の円弧形R１は同図中の角度θの半径によって決まり、該楔形板C２を該ストラップC１１に押圧させた状態にし（バネC８で該楔形板が該ストラップに押圧された状態を保持）、該楔形板円弧面C２−３底部とストラップ上方の円弧形R１が等しい円となり、該楔形板の回転中心θ´とθ中心とは30度の傾斜角を保ち、該ストラップC１１がL方向に移動するとき、該楔形板C２は該ストラップを伴って40度移動し、該ストラップを押圧して薄い片のような状態にし、該楔形板の円弧面C２−３とストッパーの押圧区上の円弧形R２とが良好な接触状態を保った状態となるようにする。この際、上述のようにストラップを薄い片のような状態に押圧したり、またθ角とθ´角が30度の傾斜角を成すことは必須条件ではなく、実施の必要に応じて変化させても構わず、例えば角度を40度、30度、20度、10度などに変化させてもいいが、但し該楔形板C２の回転中心は該楔形板の円弧面C２−３の距離も変わり、その変化を決定する要素とはθ角とθ´角の変化が同じ傾斜角度を呈していることにあるが、該楔形板の円弧面C２−３の長さが長くなる、或いは短くなる（前述では該楔形板の円弧面C２−３の長さは15であり、該15の長さが変わる）と、傾斜角度が大きくなって回転中心と該円弧面C２−３との間の長さが長くなり、該円弧面C２−３が長くなると、回転中心と円弧面C２−３の長さも長くなり、こうして該楔形板の円弧面C２−３がは、初めから40度回転するまで該ストラップ上方の円弧形R１と良好な接触状態を保ち、楔形板によらなければ回転できない状態を形成する。
　またD型タイプのバックルとストラップの構造においては、ロープタイプのストラップD１１と楔形板D２と押圧区D４−２は上述同様に面圧式を採用している（図２中のA点はロープが円弧形至端D２−６と該押圧区D４−２に接触する個所を示している。同時に図９に示す円弧形至端D２−６と図１８に示すA点参照）。
【０００８】
　線圧式であるA型タイプのバックルとストラップの構造においては、用途は主に最も簡単なリュックサックなどに用いるものであり、外殻A１（図３、組み立て図４参照）は一体成型されており、且つピン孔A１−１が設けられている。横棒A１−２はストラップA１１が該楔形板A２に押圧される際の下方の支持面となり、また、移動時の支点を提供しており、もう一方の横棒A１−３はループA１２−１が巻き付けられて縫合される個所を提供している（横棒A１−３は外殻と一体成型されており、開口部はない）。補強板A１−４は外殻左右側面と連結されており、該補強板A１−４上には開口部A１−５が設けられており、ばねA８の一方の脚の支点となっている。該楔形板A２は該ばねA８のもう一方の脚を溝A２−３中にて定位している。
　ピン孔A２−４は、ストラップがプルリングA６の横棒A６−４に巻き掛けされた後にピンA９によってストラップ押圧チップA１０と該ストラップA１１を穿設して固定する個所を提供している（図１５参照）。該プルリングA６はフック部A６−１が親指を掛けるのに適当な大きさを呈しており、ピン孔A６−２はピンを穿設する個所を提供しており、溝A６−３はバネA６−８を設置する個所を提供しており、横棒A６−４はストラップA１１が巻き付けられて引っ張られる際の支点を提供している。その他にはピンA６−５、可動片A６−６を具有し、該可動片A６−６にはストップポイントA６−６−１並びにピンA６−６−２が設けられており、ばねA６−８によって該可動片A６−６が閉じられた状態になるようにしている。以上のようにして、線圧式であるA型タイプのバックルとストラップの組み立てが完成する。
【０００９】
　線圧式であるB型タイプのバックルとストラップの構造においては、その用途は主に登山用であり、面圧式のC型タイプはロープタイプのものであり、上述の三種のストラップにおいては上述の如く、これらの構造は8割方同じ構造を呈しているため、以下は三種をまとめて簡単に説明する。まず外殻はB１，C1，D１であり、外殻の両側の板上のピン孔B１−１，C１−１，D１−１は楔形板B２，C２，D２を設置するためのものであり、バネB１−１，C１−１，D１−１はピンB７−１，C７−１，D７−１が穿設された後に固定される。ピン孔B１−２，C１−２，D１−２はピン孔B４−１，C４−１−１，D４−１−１がピンB７−２，C７−２，D７−２に穿設されて外殻に設置される個所を提供している。
【００１０】
　また該C型及びD型のバックルにはストラップ押圧部C４−２，D４−２を具有するが、これにはピンC９´，D９´を外殻のピン孔C１−７，D１−７に穿設し、またもう一つのピン孔B１−３，C１−３，D１−３はピンB７−３，C７−３，D７−３がストラップB１２−１，C１２−１，D１２−１とロックB５−２，C５−２，D５−２を穿設して固定される個所を提供しており、外殻上の二つのピン孔B１−４，C１−４，D１−４はロック上の定位部を定位する個所を提供している。またストップポイントB１−５，C１−５，D１−５は、操作板B３，C３，D３が最大位置にまで至ったときにストップさせる個所を提供しており、外殻の空間B１−６，C１−６，D１−６はストラップが移動する際に十分な移動空間を提供しており、またピン孔C１−７，D１−７が該外殻上のもう一方に設けられており、押圧区C４−２，D４−２が該ピンC９´，D９´が穿設される。楔形板B２，C２，D２にはピン孔B２−１，C２−１，D２−１が設けられており、至端部B２−２，C２−２は操作板を立てて設置するための個所を提供しており、また至端部D２−２においては該押圧区D４−２を設置する位置を提供している（図１８参照）。円弧面B２−３，C２−３は図１に示すように突出しており、ロープ状ではなく平たいストラップを押圧する個所を提供しており、円弧面D２−３はロープを押圧する個所を提供していおるｍまた該楔形板Dには円弧形至端D２−６（図９のA-Aによる断面図と図１８参照）が設けられている。ばねの脚設置個所B２−４，C２−４，D２−４は該ばねB８，C８，D８が定位された後の設置個所を提供しており、伝動部B２−５，C２−５，D２−５は操作板の上部B３−４，C３−４，D３−４にて接触及び伝動する個所を提供しており、操作板B３，C３，D３にはそれぞれピン孔B３−１，C３−１，D３−１が設けられてピンB７−１，C７−１，D７−１が穿設及び固定される個所を提供している。定位翼B３−２，C３−２，D３−２は操作板が最大位置にまで開かれた際に外殻上と接触してストップさせる個所を提供しており、ストッパーB３−３，C３−３，D３−３は前傾した際にストップさせる機能を提供し、操作板が移動し続けることで伝動部が連動するのを防止する。B３−４，C３−４，D３−４は操作板上部両側より突起しており、操作板が大きな角度に回転するとき接触する個所を提供し、楔形板が操作板に連動して共に回転させる役割を担う。また長方形ピン孔はばねの脚を一方より穿設して操作板を圧迫させる個所を提供しており、ピン孔B３−６，C３−６，D３−６は板上に二つずつ設けられてストラップを固定するピンを挿設する個所を提供しており、ローラB４，B５，B６はストラップが該楔形板の圧迫を受けるときの下方の支えとなり、ストラップが引っ張られて動く際の支えとなる。該ローラB４上のピン孔B４−１はローラのピン中心位置に設けられたピン孔であり、ストッパーC４，D４には二つの部分、即ちローラC４−１，D４−１と押圧区C４−２，D４−２の二つの部分に分けられるが、ピン孔C４−１−１，D４−１−１は外殻上に連結されるべくピンが穿設される個所を提供している。ストラップを押圧する該押圧区C４−２，D４−２は二つのピン孔C４−２−１，D４−２−１を具有し、ピンC９´，D９´が穿設されて外殻上に設置される個所を提供している。ロックB５，C５，D５においては、凸部B５−１，C５−１，D５−１を具有し、ロックが前傾した際にストッパーB３−３，C３−３，D３−３を止める役割を果たし、ピン孔B５−２，C５−２，D５−２はピンが穿設されるピン孔を提供する。空洞B５−３，C５−３，D５−３は、ばねB５−８，C５−８，D５−８と栓B５−７，C５−７，D５−７を設置する空間を提供する。定位点B５−４，C５−４，D５−４はロックが前傾した際の定位点であり、操作点B５−５，C５−５，D５−５はロックが後方に傾いた際における定位点となっている。またピンB７，C７，D７においては、ピンB７−１，C７−１，D７−１が楔形板用、ピンB７−２，C７−２，D７−２がストッパー用、ピンB７−３，C７−３，D７−３がストラップのループ用となっている。ばねB８，C８，D８においては、ばねB８´，C８´，D８´が操作板用、ピンB９，C９，D９は押圧片用でストラップを操作板上に定位するのに用い、ピンC９´，D９´は押圧区C４−２，D４−２を外殻上に定位するのに用い、押圧片B１０，C１０は平たい形状のストラップを押圧するのに用い、押圧片D１０はロープタイプのストラップを押圧するのに用いられる。平たいタイプのストラップ湾曲部B１１−１，C１１−１はストッパーで調節されるべく湾曲した個所であり、ストラップ湾曲部B１１−２，C１１−２はプルリングのピン孔６−４間にて湾曲する個所である。ストラップD１１はロープタイプのストラップであり、該ストラップの湾曲部D１１−１はストッパーで調節されるべく湾曲した個所であり、ストラップ湾曲部D１１−２はプルリングの該当位置にて湾曲した個所である。ストラップB１２，C１２，D１２のループB１２−１，C１２−１，D１２−１はピンを巻き掛けして外殻上に連結される個所であり（ストラップB１１，C１１，D１１は操作板上のプルリング６−４横棒が穿設された後にピンによって定位される）、こうして組み立てることによって本発明の組み立てが完成する。プルリングB６，C６，D６上のフック部B６−１，C６−１，D６−１は指を掛ける場所を提供しており、溝B６−３，C６−３，D６−３はばねB６−８，C６−８，D６−８を設置する溝であり、ピン孔B６−４，C６−４，D６−４はピンB６−７，C６−７，D６−７が管B６−９，C６−９，D６−９を穿設した後に挿設されるピン孔であり、、可動片B６−６，C６−６，D６−６にはストップポイントB６−６−１，C６−６−１，D６−６−１が設けられて傾斜した際にストップを掛けて移動しつづけるのを防止し、B６−６−２，C６−６−２，D６−６−２にピンB６−５，C６−５，D６−５が挿入されて組み立てが完成する。
【００１１】
　上述の実施例により、線圧式のA型タイプは一般的な簡易タイプのもの、面圧式のB型タイプは登山用、並びに面圧式のC型タイプでは重量の重いものを背負うタイプ、面圧式のD型タイプはストラップがロープ状のもの、と分けられるが、以下ではこれら上述の構造にプルリングを付加し、二折式のストラップとなった場合における構造の説明を加える。本考案で言う二折式のストラップとは、ストラップが巻き掛けされたプルリング６−４の横棒を直接該楔形板（A型タイプのバックルの如く）に連結する、或いはストラップが巻き掛けされたプルリング上の横棒６−４を操作板上に連結させ、該操作板で該楔形板に伝動（B，C，D型のバックルの如く）するものを指し、該プルリングによってストラップを収縮させることにおいては、プルリングをA地点からB地点に移動させ、該A，B両地点間のストラップは二本に重なっており、且つ重なった部分の二本のストラップは同じ長さを呈しており、こうすることで二折式のストラップを調節する際、一本のストラップで二倍の長さの調節を行うことができるようにしている。
　また、ストラップの一端が直接、或いは間接的に連結して該楔形板を開くことにおいては以下に説明する。図１５，１６に示すように、背嚢とショルダーストラップとバックルと調節用ストラップとプルリングなどのパーツにより構成されるが、該背嚢の部分は調節に関与せず、上述のパーツによって形成される大きな環状の一部を形成するのみである。ショルダーストラップ１２は調節に関与するが、バックル中には入り込まず、バックルとプルリングと調節ベルトと連結して大きな環状を形成する一部となり、両手を入れて背嚢を背負う際と降ろす際に便利な形状を呈している。また背嚢を背負って肩に背負い、ストラップ１２を収縮させる際は徐々に調節ベルト１１に取って代わる。バックルにおいては、バックル上の一端がショルダーストラップに連結されて調節する個所を提供しており、該楔形板とストッパーとの間に設置されてロックされた状態を形成する。但しこれは単一方向に移動するものであるため、プルリングで下方に移動させたときストラップが引っ張り出され、上述の環状の個所が小さな環状となり、逆に環状の個所を長くする際はストラップを放つことでプルリングが上方に移動し、該楔形板がストラップをロックしていない状態にすることで達成される。
　該調節ベルト１１においては、バックル上の楔形板とストッパーの間に巻き掛けされて更にプルリングに巻き掛けし、バックル上に連結されて調節ベルトのループとなり、またもう一端は背嚢の株に連結され、プルリングの操作によってストラップをバックル中に進入させる、或いはバックル外に移動させ、環状の個所全体の大小を変化させる。プルリング６においては、調節ベルトを引っ張ってストラップをバックル中に進入させたりバックル外に移動させたりするものであり、該プルリングも直接該楔形板を開く、或いは間接的に該楔形板を開くためのもう一つのパーツである。
【００１２】
　使用法においては、まず図１５左図に示すように、ストラップが既に引っ張られて背嚢部が人体の背中に張り付いた状態を呈しており、これからストラップを手で下方に引っ張る準備体制を整える。この状態のとき、ストラップと調節ベルトを真っ直ぐに引っ張ることで背嚢部がずり落ちて来ないようにする。操作する者の手にあるプルリングは移動している際の高さが該バックルの位置よりも低いと、該ストラップを収縮させる作用が働いて図１５の中央図のようになる。引き続き図１５の中央図に示すように、人体の腕の位置とバックルの位置においては、調節用のストラップがプルリングによって引っ張られて該バックル外に引出される。図１５の左図から中央図のように動作することで得られる効果とは、プルリングの位置とバックルの位置が移動時の高低によって形成されることにある。では図１５の右図では三つの位置（上位，中間位置，下位）に位置するバックルを示し、中間位置で上述の二折式ストラップの作用を説明する。まずバックルが留まる個所は、操作する人の手でプルリングを持ってストラップを真っ直ぐに引っ張り、下方に移動させたときはプルリングがバックルよりも低くなり、該プルリングの横棒上にてU字型となったストラップの楔形板や操作板上に連結された至端を引っ張ってバックルを下方に移動させ、U字型を形成しているストラップのもう一端も調節ベルトが引っ張られることにより、形成されている環状の個所の大きさが小さくなって図１５の中央図のようになる。またストラップが図１５の右図に示す中間位置にあるときはプルリングが上方に移動し、プルリング６−４の横棒がU字型を呈し、ストラップと楔形板或いは操作板上にて連結していることでストラップが上方に引っ張られると、同時に該楔形板を引き開ける、或いは間接的に該楔形板を引き開けて、バックルがロックされていない状態となり、該バックルがストラップによって引き上げられ、調節ベルトの長さも該バックルがロックされていないため、高い個所に移動して距離が長められ、該バックル外の調節ベルトは自然に該バックル中に入り込み、不足している長さを補って、該環状を呈した個所を図１５の左図のように大きくする。また図１６では図１５の拡大図であり、該バックル，ストラップ，プルリングの連結状態と人の手による操作方法を詳しく示している。
【００１３】
　図１１ではバックル上の各主要なパーツの構造を示しているが、ここではロック部がロックされておらず、開いた状態を呈しており、また該図１１はB，C，Dのバックルに共通する組み立てられた後の状態を示す図で、該ストラップ１１は該操作板上に連結して該楔形板に伝動する（ストラップが間接的に楔形板に伝動する）。
　図１２に示すように、該操作板がロックされた状態を呈しており、このとき該楔形板は伝動されない状態にあり、該ストラップ１１は該楔形板と密着している。
　図１３に示すようにA型タイプのバックル（操作板無し、ロックされない）であるときは、該ストラップ１１は該楔形板上に直接連結され（ストラップが直接該楔形板に伝動）る。
　更に、図１８に示すように、A，B，C，Dタイプに共通するバックルのプルリングが、ストラップが引き伸ばされた際にバックル外に至った際における処理法であるが、この方法は三つある。先ずはそのままにしておいても、実際の安全性には問題がないためプルリングをそのままに放置しておく方法、並びに図１８の右図に示すように該プルリングの可動片を開けて該調節ベルト１１上に掛けることで動かないようにする方法、更には図１８の左図に示すように、左右両方のプルリングを掛け合わせる方法で、この方法によっても動くことを防止できる。
　図１９の右図はD型タイプのバックルにおいて、該楔形板D２上の突出した至端部D２−２の円弧面D２−３は設置されるロープタイプのストラップの1/4Φの高さとなっており、押圧区Ｄ４−２の円弧面の深さは該ロープタイプのストラップの半径にほぼ等しく、また該押圧区Ｄ４−２全体の深さは該ロープタイプのストラップの直径にほぼ等しい。図中でもわかるように、該押圧区Ｄ４−２の円弧面（図中の1/2Φ個所）からは約15度の傾斜が広がっている。
　図１９の左図で示すように、該楔形板と該押圧区とがロープタイプのストラップを押圧する際、該円弧形至端Ｄ２−６部分が該ストッパーＤ４上の円弧面と接触する。
【図面の簡単な説明】
【００１４】
【図１】線圧式の楔形板の原理を示す図である。
【図２】面圧式の楔形板の原理を示す図である。
【図３】本考案における線圧式A型タイプ（簡易型）のバックルとストラップにおける全ての部品の分解図である。
【図４】図３における組み立て説明図である。
【図５】本考案における線圧式B型タイプ（登山型）のバックルとストラップにおける全ての部品の分解図である。
【図６】図５における組み立て説明図である。
【図７】本考案における面圧式C型タイプ（負荷大型）のバックルとストラップにおける全ての部品の分解図である。
【図８】図７における組み立て説明図である。
【図９】本考案における面圧式D型タイプのバックルとストラップにおける部品の全ての分解図である。
【図１０】図９における組み立て説明図である。
【図１１】本考案におけるB，C，D型に共通する構造であり、ロック部が操作板をロックしていない状態を示す図である。
【図１２】本考案におけるロック部が操作板をロックしている状態を示し、これによって楔形板が開かれないでストラップを押圧している状態を示す断面図である。
【図１３】本考案におけるA型（操作板とロック部無し）タイプのバックルが開かれた状態を示し、ストラップが直接楔形板と連結している状態を示す断面図である。
【図１４】本考案におけるA型タイプの楔形板（楔形板が開かれていない状態）がストラップを押圧している状態における断面図である。
【図１５】本考案における二折タイプのストラップがプルリングに巻き掛けされ、操作板上に連結され、更に操作板によって楔形板に伝動する原理を示す図である（ストラップを直接楔形板の部分に連結する部分は図１３に示す如く。またストラップが操作板に連結され、更に楔形板に伝動される部分においては図１１参照）。
【図１６】図１５における操作法を示す図であり、左図がストラップが引っ張られて最も長く引出された状態を示し、中央図がストラップが収縮して長さが最短となり手を放すことのできる状態を示し、右図がストラップを任意の方向（上か下）に動かすことを示し、所望の位置にて手を放せる状態を示す図である。
【図１７】B，C，Dタイプのバックル上のばね（８）とばね（８´）がそれぞれが位楔形板上を押圧し、該操作板上を押圧する様子を示す図である。
【図１８】プルリングの固定方法を示す図であり、右図ではプルリングを直接ストラップに掛け併せて任意に動くのを防止する様子を示す図であり、左図は二つのプルリング同士をストラップ下方にて掛設し、相互に掛け合わせて任意に動くのを防止する様子を示す図である。
【図１９】右図が本考案におけるD型バックルの楔形板底部（ロープタイプのストラップと接触する部分）とストッパー（ロープタイプのストラップと接触する部分）における形状を示す図であり、左図がロープタイプのストラップが最小限にまで押圧された様子を示す図である。
【符号の説明】
【００１５】
１　外殻
２　楔形板
３　操作板
４　ストッパー
５　ロック部
６　プルリング
７　ピン
８　ばね
９　ピン
１０　ベルト押圧片
１１　調節ベルト
１２　ショルダーストラップ
A１　外殻
A１−１　ピン孔
A１−２　横棒
A１−３　横棒
A１−４　補強板
A１−５　開口部
A２　楔形板
A２−１　ピン孔
A２−２　至端部
A２−３　溝
A２−４　ピン孔
A７　ピン
A８　ばね
A９　ピン
A１０　ストラップ押圧チップ
A１０−１　孔
A１１　ストラップ
A１１−１　湾曲部
A１２　ストラップ至端（ループ側）
A１２−１　ループ
A６　プルリング
A６−１　フック部
A６−２　ピン孔
A６−３　溝
A６−４　横棒
A１１−２　湾曲部
A６−５　ピン
A６−６　可動片
A６−６−１　ストップポイント
A６−６−２　ピン孔
B1，C１，D1　外殻
B１−１，C１−１，D１−１　ばね
B１−２，C１−２，D１−２　ピン孔
B１−３，C１−３，D１−３　ピン孔
B１−４，C１−４，D１−４　ピン孔
B１−５，C１−５，D１−５　ストップポイント
B１−６，C１−６，D１−６　空間
B１−７，C１−７，D１−７　ピン孔
B２，C２，D２　楔形板
B２−１，C２−１，D２−１　ピン孔
B２−２，C２−２，D２−２　至端部
B２−３，C２−３，D２−３　円弧面
B２−４，C２−４，D２−４　ばねの脚設置個所
B２−５，C２−５，D２−５　伝動点
D２−６　円弧形至端
B３，C３，D３　操作板
B３−１，C３−１，D３−１　ピン孔
B３−２，C３−２，D３−２　定位翼
B３−３，C３−３，D３−３　ストッパー
B３−４，C３−４，D３−４　板上部
B３−５，C３−５，D３−５　長方形ピン孔
B３−６，C３−６，D３−６　ピン孔
C４，D４　ストッパー
B４−１，C４−１−１，D４−１−１　ピン孔
B４，C４−１，D４−１　ローラ
C４−２，D４−２　押圧区
C４−２−１，D４−２−１　ピン孔
B５，C５，D５　ロック
B５−１，C５−１，D５−１　凸部
B５−２，C５−２，D５−２　ピン孔
B５−３，C５−３，D５−３　空洞
B５−４，C５−４，D５−４　定位点
B５−５，C５−５，D５−５　定位点
B５−６，C５−６，D５−６　指操作点
B５−７，C５−７，D５−７　栓
B５−８，C５−８，D５−８　ばね
B７，C７，D７　ピン
B７−１，C７−１，D７−１　ピン
B７−２，C７−２，D７−２　ピン
B７−３，C７−３，D７−３　ピン
B８，C８，D８　ばね
B８´，C８´，D８´　ばね
B９，C９，D９　ピン
C９´，D９´ピン
C４−２，D４−２　ストッパー
B１０，C１０，D１０　押圧片
B１０−１，C１０−１，D１０−１
B１１，C１１，D１１　ショルダーストラップ
B１１−１，C１１−１，D１１−１　ストラップ湾曲部
B１１−２，C１１−２，D１１−２　ストラップ湾曲部
B１２，C１２，D１２　ストラップ
B１２−１，C１２−１，D１２−１　ループ
B６，C６，D６　プルリング
B６−１，C６−１，D６−１　フック部
B６−２，C６−２，D６−２　ピン孔
B６−３，C６−３，D６−３　溝
B６−４，C６−４，D６−４　ピン孔
B６−５，C６−５，D６−５　ピン
B６−６，C６−６，D６−６　可動片
B６−６−１，C６−６−１，D６−６−１　ストップポイント
B６−６−３，C６−６−２，D６−６−２　ピン孔
B６−７，C６−７，D６−７　ピン
B６−８，C６−８，D６−８　ばね
B６−９，C６−９，D６−９　管
R１　ストラップ上方の円弧形
R２　ストッパーの押圧区上の円弧形
【図１】
2004073861.tif 000003
【図２】
2004073861.tif 000004
【図３】
2004073861.tif 000005
【図４】
2004073861.tif 000006
【図５】
2004073861.tif 000007
【図６】
2004073861.tif 000008
【図７】
2004073861.tif 000009
【図８】
2004073861.tif 000010
【図９】
2004073861.tif 000011
【図１０】
2004073861.tif 000012
【図１１】
2004073861.tif 000013
【図１２】
2004073861.tif 000014
【図１３】
2004073861.tif 000015
【図１４】
2004073861.tif 000016
【図１５】
2004073861.tif 000017
【図１６】
2004073861.tif 000018
【図１７】
2004073861.tif 000019
【図１８】
2004073861.tif 000020
【図１９】
2004073861.tif 000021